(57)【要約】【課題】  流体に対して非接触の状態で流体の反応を検出することが可能な流体反応検出モジュールおよび流体反応検出システムを提供すること。【解決手段】  気体反応検出モジュール１００は、配管８００に向けて光を出射する発光手段２００と、複数の受光部を有するセンサＩＣ４００と、配管８００からの光を上記複数の受光部に集光するレンズユニット３００と、を備える。【選択図】  図１
2013072844.tif 000002
【特許請求の範囲】
【請求項１】
流体存在領域に向けて光を出射する発光手段と、
複数の受光部を有する受光手段と、
上記流体存在領域からの光を上記複数の受光部に集光するレンズユニットと、
を備えることを特徴とする、流体反応検出モジュール。
【請求項２】
上記複数の受光部は、一方向に沿って配列されている、請求項１に記載の流体反応検出モジュール。
【請求項３】
上記流体存在領域は、流体流路の一部であり、
上記複数の受光部は、上記流体流路の流れ方向に沿って配列されている、請求項２に記載の流体反応検出モジュール。
【請求項４】
上記発光手段は、上記流体存在領域に対して上記受光手段と同じ側に配置された反射用発光ユニットを含む、請求項２または３に記載の流体反応検出モジュール。
【請求項５】
上記反射用発光ユニットは、ＬＥＤチップと、上記ＬＥＤチップからの光が入射する入射面、上記入射面から進行してきた光を反射する反射面、上記反射面からの光を線状光として出射する出射面、を有する導光体と、を具備する、請求項４に記載の流体反応検出モジュール。
【請求項６】
上記反射用発光ユニットは、上記複数の受光部の配列方向に長く延びる線状光を出射する、請求項５に記載の流体反応検出モジュール。
【請求項７】
上記発光手段は、上記流体存在領域に対して上記受光手段と反対側に配置された透過用発光ユニットを含む、請求項２ないし６のいずれかに記載の流体反応検出モジュール。
【請求項８】
上記透過用発光ユニットは、ＬＥＤチップと、上記ＬＥＤチップからの光が入射する入射面、上記入射面から進行してきた光を反射する反射面、上記反射面からの光を線状光として出射する出射面、を有する導光体と、を具備する、請求項７に記載の流体反応検出モジュール。
【請求項９】
上記透過用発光ユニットは、上記複数の受光部の配列方向に長く延びる線状光を出射する、請求項８に記載の流体反応検出モジュール。
【請求項１０】
上記複数の受光部は、上記発光手段から出射された後に、上記流体存在領域によって反射された光、あるいは上記流体存在領域を透過した光を受光し得る複数の第１受光部と、上記発光手段から出射された後に、上記流体存在領域によって反射された光、あるいは上記流体存在領域を透過した光が到達する領域から退避した位置にある１以上の第２受光部と、を含む、請求項２ないし９のいずれかに記載の流体反応検出モジュール。
【請求項１１】
上記流体存在領域と上記第２受光部との間に介在し、特定の波長領域の光を透過させるフィルタを備える、請求項１０に記載の流体反応検出モジュール。
【請求項１２】
上記複数の受光部は、同一のセンサＩＣに搭載されており、
上記センサＩＣを横切る遮光部を備えており、
上記複数の第１受光部は、上記遮光部に対して一方側に位置しており、
上記１以上の第２受光部は、上記遮光部を挟んで上記複数の第１受光部とは反対側に位置する、請求項１０または１１に記載の流体反応検出モジュール。
【請求項１３】
上記遮光部は、上記センサＩＣの一部を覆う樹脂部と、上記樹脂部から上記流体存在領域に向かって延びる壁部と、からなる、請求項１２に記載の流体反応検出モジュール。
【請求項１４】
上記流体存在領域に対して上記受光手段を気密するケースをさらに備える、請求項１ないし１３のいずれかに記載の流体反応検出モジュール。
【請求項１５】
上記ケースは、上記レンズユニットを収容している、請求項１４に記載の流体反応検出モジュール。
【請求項１６】
上記流体存在領域の温度を計測する温度計測手段をさらに備える、請求項１ないし１５のいずれかに記載の流体反応検出モジュール。
【請求項１７】
上記温度計測手段は、上記流体存在領域に対面する主面およびこの主面とは反対側の裏面を有する受熱基板と、上記裏面に搭載された温度計測素子と、を具備する、請求項１６に記載の流体反応検出モジュール。
【請求項１８】
上記温度計測素子は、上記流体存在領域に対して気密されている、請求項１７に記載の流体反応検出モジュール。
【請求項１９】
請求項１ないし１８のいずれかに記載の流体反応検出モジュールと、
上記受光手段から受けた受光信号に基づいて、上記流体存在領域における流体の状態を判断する判断手段と、を備えることを特徴とする、流体反応検出システム。
【請求項２０】
上記判断手段の判断結果を出力する報知手段を備える、請求項１９に記載の流体反応検出システム。
【発明の詳細な説明】
【技術分野】
【０００１】
本発明は、たとえば気体などの流体の反応を検出する流体反応検出モジュールおよび流体反応検出システムに関する。
【背景技術】
【０００２】
従来より、気体に代表される流体を検出対象とした検出手段が提案されている（たとえば特許文献１）。検出手段は、たとえば気体が存在する流路などに置かれる感知素子を備える。この感知素子は、たとえば気体の反応に伴う温度や湿度などの状態量の変化によってその抵抗値が変化する。この抵抗値の変化を読み取ることにより、気体の反応を検出することができる。
【０００３】
しかしながら、感知素子が検出対象である気体に触れる構成であるため、気体の種類によっては感知素子が腐食されるおそれがある。あるいは、意図しない水分が感知素子に過大に付着してしまうと、感知機能を果たさないという問題がある。
【先行技術文献】
【特許文献】
【０００４】
【特許文献１】特表２０１０−５１５０５０号公報
【発明の概要】
【発明が解決しようとする課題】
【０００５】
本発明は、上記した事情のもとで考え出されたものであって、流体に対して非接触の状態で流体の反応を検出することが可能な流体反応検出モジュールおよび流体反応検出システムを提供することをその課題とする。
【課題を解決するための手段】
【０００６】
本発明の第１の側面によって提供される流体反応検出モジュールは、流体存在領域に向けて光を出射する発光手段と、複数の受光部を有する受光手段と、上記流体存在領域からの光を上記複数の受光部に集光するレンズユニットと、を備えることを特徴としている。
【０００７】
本発明の好ましい実施の形態においては、上記複数の受光部は、一方向に沿って配列されている。
【０００８】
本発明の好ましい実施の形態においては、上記流体存在領域は、流体流路の一部であり、
上記複数の受光部は、上記流体流路の流れ方向に沿って配列されている。
【０００９】
本発明の好ましい実施の形態においては、上記発光手段は、上記流体存在領域に対して上記受光手段と同じ側に配置された反射用発光ユニットを含む。
【００１０】
本発明の好ましい実施の形態においては、上記反射用発光ユニットは、ＬＥＤチップと、上記ＬＥＤチップからの光が入射する入射面、上記入射面から進行してきた光を反射する反射面、上記反射面からの光を線状光として出射する出射面、を有する導光体と、を具備する。
【００１１】
本発明の好ましい実施の形態においては、上記反射用発光ユニットは、上記複数の受光部の配列方向に長く延びる線状光を出射する。
【００１２】
本発明の好ましい実施の形態においては、上記発光手段は、上記流体存在領域に対して上記受光手段と反対側に配置された透過用発光ユニットを含む。
【００１３】
本発明の好ましい実施の形態においては、上記透過用発光ユニットは、ＬＥＤチップと、上記ＬＥＤチップからの光が入射する入射面、上記入射面から進行してきた光を反射する反射面、上記反射面からの光を線状光として出射する出射面、を有する導光体と、を具備する。
【００１４】
本発明の好ましい実施の形態においては、上記透過用発光ユニットは、上記複数の受光部の配列方向に長く延びる線状光を出射する。
【００１５】
本発明の好ましい実施の形態においては、上記複数の受光部は、上記発光手段から出射された後に、上記流体存在領域によって反射された光、あるいは上記流体存在領域を透過した光を受光し得る複数の第１受光部と、上記発光手段から出射された後に、上記流体存在領域によって反射された光、あるいは上記流体存在領域を透過した光が到達する領域から退避した位置にある１以上の第２受光部と、を含む。
【００１６】
本発明の好ましい実施の形態においては、上記流体存在領域と上記第２受光部との間に介在し、特定の波長領域の光を透過させるフィルタを備える。
【００１７】
本発明の好ましい実施の形態においては、上記複数の受光部は、同一のセンサＩＣに搭載されており、上記センサＩＣを横切る遮光部を備えており、上記複数の第１受光部は、上記遮光部に対して一方側に位置しており、上記１以上の第２受光部は、上記遮光部を挟んで上記複数の第１受光部とは反対側に位置する。
【００１８】
本発明の好ましい実施の形態においては、上記遮光部は、上記センサＩＣの一部を覆う樹脂部と、上記樹脂部から上記流体存在領域に向かって延びる壁部と、からなる。
【００１９】
本発明の好ましい実施の形態においては、上記流体存在領域に対して上記受光手段を気密するケースをさらに備える。
【００２０】
本発明の好ましい実施の形態においては、上記ケースは、上記レンズユニットを収容している。
【００２１】
本発明の好ましい実施の形態においては、上記流体存在領域の温度を計測する温度計測手段をさらに備える。
【００２２】
本発明の好ましい実施の形態においては、上記温度計測手段は、上記流体存在領域に対面する主面およびこの主面とは反対側の裏面を有する受熱基板と、上記裏面に搭載された温度計測素子と、を具備する。
【００２３】
本発明の好ましい実施の形態においては、上記温度計測素子は、上記流体存在領域に対して気密されている。
【００２４】
本発明の第２の側面によって提供される流体反応検出システムは、本発明の第１の側面によって提供される流体反応検出モジュールと、上記受光手段から受けた受光信号に基づいて、上記流体存在領域における流体の状態を判断する判断手段と、を備えることを特徴としている。
【００２５】
本発明の好ましい実施の形態においては、上記判断手段の判断結果を出力する報知手段を備える。
【００２６】
このような構成によれば、上記流体存在領域内の流体に、上記流体反応検出モジュールのいずれかの部位を暴露させる必要が無い。したがって、上記流体存在領域内の流体による腐食が、上記流体反応検出モジュールに生じることを、回避することができる。
【００２７】
本発明のその他の特徴および利点は、添付図面を参照して以下に行う詳細な説明によって、より明らかとなろう。
【図面の簡単な説明】
【００２８】
【図１】本発明に係る流体反応検出モジュールおよび流体反応検出システムの一例を示す斜視図である。
【図２】図１のＩＩ−ＩＩ線に沿う断面図である。
【図３】図１のＩＩＩ−ＩＩＩ線に沿う断面図である。
【図４】図３のＩＶ−ＩＶ線に沿う要部断面図である。
【発明を実施するための形態】
【００２９】
以下、本発明の好ましい実施の形態につき、図面を参照して具体的に説明する。
【００３０】
図１〜図３は、本発明に係る流体反応検出モジュールおよび流体反応システムの一例を示している。本実施形態の気体反応検出システム１００は、気体反応検出モジュール１１０、判断部７１０、およびディスプレイ７２０を備えている。気体反応検出システム１００は、本願でいう流体存在領域の一例である配管８００に流れる気体の反応を検出する。配管８００は、たとえば図示された部位全体が透明、あるいは透光性の材質からなり、その流れ方向がｘ方向とされている。
【００３１】
気体反応検出モジュール１１０は、発光手段２００、レンズユニット３００、センサＩＣ４００、温度計測手段５００、およびケース６００を備えており、配管８００を流れる気体の反応を光学的手法によって検出するモジュールである。
【００３２】
発光手段２００は、気体反応検出モジュール１１０による光学的検出手法に供される光を出射する手段である。本実施形態においては、発光手段２００は、発光ユニット２１０および発光ユニット２５０からなる。発光ユニット２１０は、本発明で言う透過用発光ユニットに相当し、発光ユニット２５０は、本発明で言う反射用発光ユニットに相当する。発光ユニット２１０と発光ユニット２５０とは、配管８００を挟んで互いに反対側に配置されている。
【００３３】
発光ユニット２１０は、ＬＥＤモジュール２２０、導光体２３０、およびケース２４０を備えている。
【００３４】
ＬＥＤモジュール２２０は、ＬＥＤチップ２２１を備えている。ＬＥＤチップ２２１は、たとえばＧａＮ系半導体からなるｎ型半導体層、ｐ型半導体層、およびこれらに挟まれた活性層を有しており、たとえば青色光を発する。ＬＥＤチップ２２１は、蛍光材料を含有する透光樹脂２２２によって覆われている。この蛍光材料は、青色光によって励起されることにより黄色光を発する。あるいは、青色光によって励起されることにより赤色光を発する蛍光材料と緑色光を発する蛍光材料とを用いてもよい。青色光と黄色光、あるいは青色光と赤色光および緑色光を混色させることにより、ＬＥＤモジュール２２０からは白色光が出射される。
【００３５】
導光体２３０は、たとえばＰＭＭＡ樹脂などの透明材料からなり、ｘ方向に長く延びる棒状である。導光体２３０は、入射面２３１、反射面２３２、および出射面２３３を有する。入射面２３１は、ＬＥＤモジュール２２０のＬＥＤチップ２２１と正対するｘ方向端面である。ＬＥＤモジュール２２０からの光は、入射面２３１から導光体２３０に入射する。反射面２３２は、ｘ方向に長く延びて配置されており、導光体２３０の図中ｚ方向上側部分に形成されている。反射面２３２は、入射面２３１から導光体２３０内を進行してきた光を出射面２３３に向けて反射する。反射面２３２は、たとえば導光体２３０の一部に凹凸を形成したり、白色樹脂を塗布したりすることによって構成されている。出射面２３３は、ｘ方向に長く延びており、導光体２３０の図中ｚ方向下側部分に形成されている。反射面２３２によって反射された光は、ｘ方向に延びる線状光として出射面２３３から出射される。
【００３６】
ケース２４０は、たとえば黒色樹脂からなる直方体形状であり、ＬＥＤモジュール２２０および導光体２３０を配管８００に対して気密した状態で収容している。ケース２４０には、透過板２４１が設けられている。透過板２４１は、導光体２３０に対してｚ方向下側に配置されており、ｘ方向に長く延びる帯状のたとえば透明なガラス板である。導光体２３０の出射面２３３から出射された線状光は、透過板２４１を透過してｚ方向上側から配管８００に向かう。
【００３７】
図１、図３、図４に示すように、発光ユニット２５０は、ＬＥＤモジュール２６０、および導光体２７０を備えている。
【００３８】
ＬＥＤモジュール２６０は、ＬＥＤチップ２６１を備えている。ＬＥＤチップ２６１は、たとえばＧａＮ系半導体からなるｎ型半導体層、ｐ型半導体層、およびこれらに挟まれた活性層を有しており、たとえば青色光を発する。ＬＥＤチップ２６１は、蛍光材料を含有する透光樹脂２６２によって覆われている。この蛍光材料は、青色光によって励起されることにより黄色光を発する。あるいは、青色光によって励起されることにより赤色光を発する蛍光材料と緑色光を発する蛍光材料とを用いてもよい。青色光と黄色光、あるいは青色光と赤色光および緑色光を混色させることにより、ＬＥＤモジュール２６０からは白色光が出射される。
【００３９】
導光体２７０は、たとえばＰＭＭＡ樹脂などの透明材料からなり、ｘ方向に長く延びる棒状である。導光体２７０は、入射面２７１、反射面２７２、および出射面２７３を有する。入射面２７１は、ＬＥＤモジュール２６０のＬＥＤチップ２６１と正対するｘ方向端面である。ＬＥＤモジュール２６０からの光は、入射面２７１から導光体２７０に入射する。反射面２７２は、ｘ方向に長く延びて配置されており、導光体２７０の図中ｚ方向斜め下側部分に形成されている。反射面２７２は、入射面２７１から導光体２７０内を進行してきた光を出射面２７３に向けて反射する。反射面２７２は、たとえば導光体２７０の一部に凹凸を形成したり、白色樹脂を塗布したりすることによって構成されている。出射面２７３は、ｘ方向に長く延びており、導光体２３０の図中ｚ方向斜め上側部分に形成されている。反射面２７２によって反射された光は、ｘ方向に延びる線状光として出射面２７３から出射される。発光ユニット２５０からの線状光は、ｚ方向下側から配管８００に向かう。
【００４０】
ケース６００は、配管８００に対してｚ方向下側に配置されており、たとえば黒色樹脂からなる。ケース６００は、ｘ方向に長く延びる直方体形状であり、発光ユニット２５０、レンズユニット３００、センサＩＣ４００、温度計測手段５００を収容している。特に、発光ユニット２５０、レンズユニット３００、センサＩＣ４００、および後述する温度計測手段５００の温度計測素子５２０は、配管８００に対して気密された状態でケース６００に収容されている。ケース６００は、透過板６１０、フィルタ６２０、および遮光部６３０を有する。
【００４１】
透過板６１０は、ケース６００のｚ方向上側部分に配置されており、ｘ方向に長く延びる帯状のたとえば透明なガラス板である。透過板６１０は、発光ユニット２５０からの線状光を透過させる。
【００４２】
フィルタ６２０は、透過板６１０に対してｘ方向に隣接して設けられている。フィルタ６２０は、特定の波長の光を選択的に透過させるものであり、たとえば着色されたガラス板である。本実施形態においては、フィルタ６２０は、たとえば緑色光を選択的に透過させる。
【００４３】
遮光部６３０は、ケース６００の内部に設けられており、ｘ方向において透過板６１０とフィルタ６２０との間に位置している。遮光部６３０は、壁部６３１および樹脂部６３２からなる。壁部６３１は、ｚｙ平面に沿って広がる部位である。樹脂部６３２は、センサＩＣに接しており、センサＩＣ４００と壁部６３１との隙間を埋めている。樹脂部６３２は、たとえば黒色のシリコーン樹脂からなる。
【００４４】
レンズユニット３００は、配管８００から透過板６１０を通して向かってきた光をたとえば正立等倍でセンサＩＣ４００に結像させる光学部品である。レンズユニット３００は、複数のロッドレンズ３１０およびホルダ３２０からなる。複数のロッドレンズ３１０は、各々がたとえばｚ方向に長く延びる円柱状のレンズであり、ｘ方向に配列されている。ホルダ３２０は、複数のロッドレンズ３１０を保持しており、たとえば黒色樹脂からなる。図１および図３に示すように、レンズユニット３００と発光ユニット２５０とはケース６００内においてｙ方向に並んで配置されている。
【００４５】
センサＩＣ４００は、本発明で言う受光手段に相当し、複数の受光部４１０を備えている。センサＩＣ４００は、複数の受光部４１０が受光した光の強度に応じた受光信号を生成する、光電変換機能を果たす。複数の受光部４１０は、ｘ方向に沿って配列されており、複数の受光部４１１および複数の受光部４１２を含んでいる。複数の受光部４１１は、複数の受光部４１０のうち図２において遮光部６３０よりもｘ方向左方に配置されたものであり、本発明でいう第１受光部に相当する。複数の受光部４１２は、複数の受光部４１０のうち図２において遮光部６３０よりもｘ方向右方に配置されたものであり、本発明で言う第２受光部に相当する。
【００４６】
複数の受光部４１１には、発光ユニット２１０から発せられたのちに配管８００を透過した光がレンズユニット３００によって結像されうる。また、複数の受光部４１１には、発光ユニット２５０から発せられたのちに配管８００内の気体によって反射された光がレンズユニット３００によって結像されうる。一方、複数の受光部４１１には、発光ユニット２１０から発せられたのちに配管８００を透過した光、および発光ユニット２５０から発せられたのちに配管８００内の気体によって反射された光は、遮光部６３０によって遮光されるため到達しない。配管８００内の気体が何らかの反応によって自発光した場合、この光は複数の受光部４１２に到達しうる。なお、後述する本願が意図する効果を奏するには、１つの受光部４１２を備える構成であってもよい。
【００４７】
温度計測手段５００は、受熱基板５１０および温度計測素子５２０からなる。受熱基板５１０は、たとえばセラミックスからなり、フィルタ６２０に対してｘ方向に隣接して配置されている。受熱基板５１０は、主面５１１および裏面５１２を有する。主面５１１は、配管８００に対面しており、配管８００からの熱を受ける。裏面５１２は、主面５１１の反対側にあり、温度計測素子５２０が搭載されている。温度計測素子５２０は、温度変化を電気的変化に変換する素子であり、たとえば熱電対などである。
【００４８】
判断部７１０は、発光手段２００の発光制御と、センサＩＣ４００からの受光信号および温度計測手段５００からの温度信号に基づく気体の反応検出判断とを行う。判断部７１０は、たとえばＣＰＵ、メモリ、インターフェースなどによって構成される。センサＩＣ４００からは、各受光部４１０ごとの受光信号が送られる。判断部７１０は、各受光信号が受光した光の強度を認識する。また、判断部７１０は、温度計測手段５００からの温度信号に基づいて、配管８００内の気体の温度を認識する。判断部７１０は、発光ユニット２１０および発光ユニット２５０を任意のタイミングで点灯および消灯させることができる。
【００４９】
ディスプレイ７２０は、本発明で言う報知手段の一例であり、たとえば液晶表示パネルによって構成されている。ディスプレイ７２０には、判断部７１０からの指令により、複数の受光部４１０の受光状態や、温度計測手段５００の計測温度などが表示され、また、これらに基づいた判断部７１０による気体反応の検出結果が表示される。
【００５０】
次に、気体反応検出モジュール１１０および気体反応検出システム１００の作用について説明する。
【００５１】
本実施形態によれば、検出対象である配管８００内の気体に、気体反応検出モジュール１１０のいずれかの部位を暴露させる必要が無い。したがって、配管８００内の気体による腐食が、気体反応検出モジュール１１０に生じることを、回避することができる。
【００５２】
発光ユニット２１０からの光は、配管８００を透してセンサＩＣ４００の複数の受光部４１１に向かう。このため、配管８００内の気体の反応に伴ってこの気体の透過率が変化すると、複数の受光部４１１が受ける発光ユニット２１０からの光の光量が変化する。したがって、配管８００内の気体の反応を速やかに検出することができる。
【００５３】
発光ユニット２５０からの光は、複数の受光部４１１と同じ側から配管８００へと向かう。このため、配管８００内の気体の反応に伴ってこの気体の反射率が変化すると、複数の受光部４１１が受ける発光ユニット２５０からの光の光量が変化する。したがって、配管８００内の気体の反応を速やかに検出することができる。
【００５４】
複数の受光部４１１が配管８００の流れ方向と一致するｘ方向に沿って配列されていることにより、配管８００の流れ方向（ｘ方向）において徐々に反応が進展する場合に、その遷移を認識することができる。レンズユニット３００を設けることにより、ｘ方向における複数の受光部４１１の分解能を飛躍的に高めることができる。これは、配管８００の流れ方向（ｘ方向）における反応の進展をより高精度に認識するのに有利である。
【００５５】
ＬＥＤモジュール２２０と導光体２３０とを備える発光ユニット２１０は、ｘ方向に延びる十分な光量の線状光を出射するのに適している。また、ＬＥＤモジュール２６０と導光体２７０とを備える発光ユニット２１０は、ｘ方向に延びる十分な光量の線状光を出射するのに適している。
【００５６】
複数の受光部４１２には、発光手段２００から発せられたのちに、配管８００を透過した光、および配管８００によって反射された光は到達しない。このため、発光手段２００が点灯した状態であっても、配管８００内の気体が反応によって自発光すると、複数の受光部４１２が受光する光の光量が変化する。これにより、配管８００内の気体に自発光を伴う反応が生じたことを認識することができる。フィルタ６２０を備えることにより、配管８００内の気体の反応に伴う自発光によって生じうる波長の光を選択的に受光することが可能である。これは、外乱光などの影響を排除するのに好ましい。
【００５７】
複数の受光部４１１と複数の受光部４１２とは、同一のセンサＩＣ４００の複数の受光部４１０によって構成されている。このため、互いに異なる検出機能を果たす複数の受光部４１１および複数の受光部４１２を設けるために、それぞれに専用のセンサＩＣを用意する必要が無い。これは、気体反応検出モジュール１１０の低コスト化に好ましい。
【００５８】
遮光部６３０に壁部６３１を設けることにより、複数の受光部４１２に対してｘ方向において異なる位置に設けられた発光手段２００からの光が複数の受光部４１２に到達することをより確実に阻止することができる。遮光部６３０に樹脂部６３２を設けることにより、センサＩＣ４００と壁部６３１との間から意図しない光が漏れてしまうことを防止することができる。
【００５９】
温度計測手段５００を備えることにより、配管８００内の気体の反応に伴う光学的状態の変化だけでなく、温度変化を補助的に認識することができる。これは、配管８００内の気体に検出することを意図した反応が生じているか否かを判断するのに有利である。受熱基板５１０の裏面５１２に温度計測素子５２０を配置することにより、温度計測素子５２０が腐食されることを防止することができる。
【００６０】
発光ユニット２１０のＬＥＤモジュール２２０および導光体２３０は、ケース２４０によって配管８００に対して気密されている。これにより、ＬＥＤモジュール２２０および導光体２３０の腐食を防止することができる。また、発光ユニット２５０、レンズユニット３００、センサＩＣ４００、および温度計測素子５２０は、ケース６００によって配管８００に対して気密されている。これにより、レンズユニット３００、センサＩＣ４００、および温度計測素子５２０の腐食を防止することができる。
【００６１】
気体反応検出システム１００は、配管８００から離間した位置に判断部７１０およびディスプレイ７２０を配置することが可能である。したがって、配管８００内の気体の反応の有無を遠隔監視することができる。判断部７１０によって発光ユニット２１０と発光ユニット２５０の発光制御を行うことにより、配管８００内の気体の透過率および反射率の変化を混同することなく正確に検出することができる。
【００６２】
本発明に係る流体反応検出モジュールおよび流体反応検出システムは、上述した実施形態に限定されるものではない。本発明に係る流体反応検出モジュールおよび流体反応検出システムの各部の具体的な構成は、種々に設計変更自在である。
【００６３】
発光手段２００は、透過用の発光ユニット２１０と反射用の発光ユニット２５０の双方を備えるものが好ましいが、これに限定されず、透過用の発光ユニット２１０と反射用の発光ユニット２５０のいずれかのみを備える構成であってもよい。発光ユニット２５０は、センサＩＣ４００と一体的にケース６００に収容されることが小型化に好ましいが、たとえばセンサＩＣ４００に対して発光ユニット２５０を離間して配置した構成であってもよい。
【００６４】
本願の流体反応検出モジュールおよび流体反応検出システムの検出対象は、気体に限定されず、たとえば液体であってもよく、反応によって光学的状態の変化を伴う流体を対象とした反応検出に広く用いることができる。
【符号の説明】
【００６５】
１００  気体反応検出システム
１１０  気体反応検出モジュール
２００  発光手段
２１０  （透過用）発光ユニット
２２０    ＬＥＤモジュール
２２１  ＬＥＤチップ
２２２  透光樹脂
２３０  導光体
２３１  入射面
２３２  反射面
２３３  出射面
２４０  ケース
２４１  透過板
２５０  （反射用）発光ユニット
２６０  ＬＥＤモジュール
２６１  ＬＥＤチップ
２６２  透光樹脂
２７０  導光体
２７１  入射面
２７２  反射面
２７３  出射面
３００  レンズユニット
３１０  ロッドレンズ
３２０  ホルダ
４００  センサＩＣ（受光手段）
４１０  受光部
４１１  （第１）受光部
４１２  （第２）受光部
５００  温度計測手段
５１０  受熱基板
５１１  主面
５１２  裏面
５２０  温度計測素子
６００  ケース
６１０  透過板
６２０  フィルタ
６３０  遮光部
６３１  壁部
６３２  樹脂部
７１０  判断部
７２０  ディスプレイ（報知手段）
８００  配管（流体存在領域）
【図１】
2013072844.tif 000003
【図２】
2013072844.tif 000004
【図３】
2013072844.tif 000005
【図４】
2013072844.tif 000006